(57)【特許請求の範囲】
【請求項１】
回動駆動装置と、
横方向に沿って設置され、前記回動駆動装置と接続されて駆動されるスイングアームであって、前記回動駆動装置の駆動により、前記スイングアームの第一端周りに回動する回動ストロークを有する前記スイングアームと、
回転シャフトが上下方向に沿って延伸し、且つ前記スイングアームの第二端に回動可能に接続されて、前記スイングアームの第二端に伴ってスイングする駆動歯車と、
前記駆動歯車のスイング軌跡に沿って延伸し、且つ前記駆動歯車と噛み合って、前記駆動歯車のスイング過程において前記駆動歯車を自転させる歯車ガイドレールと、
上端が前記駆動歯車の歯車シャフトと固定接続されている攪拌具とを備えることを特徴とする調理機の攪拌装置。
【請求項２】
前記歯車ガイドレールは内歯車であり、前記駆動歯車は前記内歯車と前記回動駆動装置の出力シャフトの間に設置され、或いは、
前記歯車ガイドレールは前記回動駆動装置の出力シャフトに回動可能に接続されている外歯車外歯車であることを特徴とする請求項１に記載の攪拌装置。
【請求項３】
前記駆動歯車の歯車シャフトは前記攪拌具に取り外し可能に固定接続されていることを特徴とする請求項１に記載の調理機の攪拌装置。
【請求項４】
前記駆動歯車の歯車シャフトと前記攪拌具との互いに接続されている一端は、一方が位置決め部として、他方が嵌合筒として設置されて、前記位置決め部の外側面には位置決め溝が設置され、前記嵌合筒の内壁には取付溝が設置され、前記取付溝内には弾性的に伸縮できる弾性ロックが設けられ、前記弾性ロックと前記位置決め溝とが嵌合されることで、前記駆動歯車の歯車シャフトと前記攪拌具との軸方向における固定接続を実現することを特徴とする請求項３に記載の調理機の攪拌装置。
【請求項５】
前記弾性ロックは圧縮バネと当接止め具を含み、前記圧縮バネの一端は前記取付溝の溝壁に当接し、前記圧縮バネの他端は前記当接止め具を前記位置決め溝に弾性的に当接させるように前記当接止め具と接続されていることを特徴とする請求項４に記載の調理機の攪拌装置。
【請求項６】
前記嵌合筒には前記嵌合筒を閉じる押し蓋がさらに設置され、前記押し蓋には前記位置決め部を通すための第一逃げ穴が設けられていることを特徴とする請求項５に記載の調理機の攪拌装置。
【請求項７】
前記攪拌具は攪拌シャフトと前記攪拌シャフトに取り付けられているブレードを含み、前記攪拌シャフトの上端は前記駆動歯車の歯車シャフトに固定接続されていることを特徴とする請求項１に記載の調理機の攪拌装置。
【請求項８】
上端に開口が設けられている内鍋と、
前記内鍋の開口を閉じるように設置されている上蓋組立体と；
前記上蓋組立体に取り付けられている攪拌装置とを含み、
前記攪拌装置は、
回動駆動装置と、
横方向に沿って設置され、前記回動駆動装置と接続されて駆動されるスイングアームであって、前記回動駆動装置の駆動により、前記スイングアームの第一端周りに回動する回動ストロークを有する前記スイングアームと、
回転シャフトが上下方向に沿って延伸し、且つ前記スイングアームの第二端に回動可能に接続されて、前記スイングアームの第二端に伴ってスイングする駆動歯車と、
前記駆動歯車のスイング軌跡に沿って延伸し、且つ前記駆動歯車と噛み合って、前記駆動歯車のスイング過程において前記駆動歯車を自転させる歯車ガイドレールと、
上端が前記駆動歯車の歯車シャフトと固定接続され、且つ下へ前記内鍋内に延びている攪拌具とを備えることを特徴とする調理機。
【請求項９】
前記歯車ガイドレールは内歯車であり、前記駆動歯車は前記内歯車と前記回動駆動装置の出力シャフトの間に設置され、或いは、
前記歯車ガイドレールは前記回動駆動装置の出力シャフトに回動可能に接続されている外歯車であることを特徴とする請求項８に記載の調理機。
【請求項１０】
前記駆動歯車の歯車シャフトは前記攪拌具に取り外し可能に固定接続されていることを特徴とする請求項８に記載の調理機。
【請求項１１】
前記駆動歯車の歯車シャフトと前記攪拌具との互いに接続されている一端は、一方が位置決め部として、他方が嵌合筒として設置されて、前記位置決め部の外側面には位置決め溝が設置され、前記嵌合筒の内壁には取付溝が設置され、前記取付溝内には弾性的に伸縮できる弾性ロックが設けられ、前記弾性ロックと前記位置決め溝とが嵌合されることで、前記駆動歯車の歯車シャフトと前記攪拌具との軸方向における固定接続を実現することを特徴とする請求項１０に記載の調理機。
【請求項１２】
前記弾性ロックは圧縮バネと当接止め具を含み、前記圧縮バネの一端は前記取付溝の溝壁に当接し、前記圧縮バネの他端は前記当接止め具を前記位置決め溝に弾性的に当接させるように前記当接止め具と接続されていることを特徴とする請求項１１に記載の調理機。
【請求項１３】
前記嵌合筒には前記嵌合筒を閉じる押し蓋がさらに設置され、前記押し蓋には前記位置決め部を通すための第一逃げ穴が設けられていることを特徴とする請求項１２に記載の調理機。
【請求項１４】
前記攪拌具は攪拌シャフトと前記攪拌シャフトに取り付けられているブレードを含み、前記攪拌シャフトの上端は前記駆動歯車の歯車シャフトに固定接続されていることを特徴とする請求項８に記載の調理機。
【請求項１５】
前記上蓋組立体内には取付チャンバーが画成され、
前記回動駆動装置、スイングアーム、駆動歯車及び歯車ガイドレールは何れも前記取付チャンバーに取り付けられ、
前記攪拌具の上端は前記駆動歯車の歯車シャフトと接続されるように、前記取付チャンバー内に延びていることを特徴とする請求項８に記載の調理機。
【請求項１６】
前記上蓋組立体は、
内部に前記取付チャンバーが画成されている蓋板と、
前記蓋板の内表面を閉じるとともに前記取付チャンバーに対応して設置されている飾り蓋と、を含み、前記飾り蓋と前記蓋板とは回動的に嵌合され、且つ前記飾り蓋の回動中心は前記回動駆動装置の軸線と重なり合っており、前記攪拌具が前記飾り蓋を回動させるように、前記飾り蓋には前記攪拌具を通すための第二逃げ穴が設置されていることを特徴とする請求項１５に記載の調理機。
【発明の詳細な説明】
【技術分野】
【０００１】
本願発明は家庭用電器の分野に関し、特に調理機の攪拌装置及び調理機に関する。
【背景技術】
【０００２】
従来の攪拌器の攪拌機能は、その運動軌跡の単一性により、多かれ少なかれ攪拌が不均一で、攪拌後に食材がたまる等の問題があって、消費者の使用感に影響を与えてしまう。
【発明の概要】
【発明が解決しようとする課題】
【０００３】
本願発明の主な目的は、攪拌具の攪拌軌跡の食材に及ぶ範囲をより広くし、攪拌を十分にして、食材がたまりにくくするための調理機の攪拌装置及び調理機を提供することである。
【課題を解決するための手段】
【０００４】
上記目的を達成するために、本願発明が提供する調理機の攪拌装置は、回動駆動装置と、横方向に沿って設置され、前記回動駆動装置と接続されて駆動されるスイングアームであって、前記回動駆動装置の駆動により、前記スイングアームの第一端周りに回動する回動ストロークを有する前記スイングアームと、回転シャフトが上下方向に沿って延伸し、且つ前記スイングアームの第二端に回動可能に接続されて、前記スイングアームの第二端に伴ってスイングする駆動歯車と、前記駆動歯車のスイング軌跡に沿って延伸し、且つ前記駆動歯車と噛み合って、前記駆動歯車のスイング過程において前記駆動歯車を自転させる歯車ガイドレールと、上端が前記駆動歯車の歯車シャフトと固定接続されている攪拌具とを備える。
【０００５】
好ましくは、前記歯車ガイドレールは内歯車であり、前記駆動歯車は前記内歯車と前記回動駆動装置の出力シャフトの間に設置され、或いは、前記歯車ガイドレールは前記回動駆動装置の出力シャフトに回動可能に接続されている外歯車である。
【０００６】
好ましくは、前記駆動歯車の歯車シャフトは前記攪拌具に取り外し可能に固定接続されている。
【０００７】
好ましくは、前記駆動歯車の歯車シャフトと前記攪拌具との互いに接続されている一端は、一方が位置決め部として、他方が嵌合筒として設置されて、前記位置決め部の外側面には位置決め溝が設置され、前記嵌合筒の内壁には取付溝が設置され、前記取付溝内には弾性的に伸縮できる弾性ロックが設けられ、前記弾性ロックと前記位置決め溝とが嵌合されることで、前記駆動歯車の歯車シャフトと前記攪拌具との軸方向における固定接続を実現する。
【０００８】
好ましくは、前記弾性ロックは圧縮バネと当接止め具を含み、前記圧縮バネの一端は前記取付溝の穴壁に当接し、前記圧縮バネの他端は前記当接止め具を前記位置決め溝に弾性的に当接させるように前記当接止め具と接続されている。
【０００９】
好ましくは、前記嵌合筒には前記嵌合筒を閉じる押し蓋がさらに設置され、前記押し蓋には前記位置決め部を通すための第一逃げ穴が設けられている。
【００１０】
好ましくは、前記攪拌具は攪拌シャフトとブレードを含み、前記攪拌シャフトの上端は前記駆動歯車の歯車シャフトに固定接続されて、前記ブレードは前記攪拌シャフトの底端に設置されている。
【００１１】
本願はさらに調理機を提案する。前記調理機は、上端に開口が設けられている内鍋と、前記内鍋の開口を閉じるように設置されている上蓋組立体と、前記上蓋組立体に取り付けられている攪拌装置とを含み、前記攪拌装置は、回動駆動装置と、横方向に沿って設置され、前記回動駆動装置と接続されて駆動されるスイングアームであって、前記回動駆動装置の駆動により、前記スイングアームの第一端周りに回動する回動ストロークを有する前記スイングアームと、回転シャフトが上下方向に沿って延伸し、且つ前記スイングアームの第二端に回動可能に接続されて、前記スイングアームの第二端に伴ってスイングする駆動歯車と、前記駆動歯車のスイング軌跡に沿って延伸し、且つ前記駆動歯車と噛み合って、前記駆動歯車のスイング過程において前記駆動歯車を自転させる歯車ガイドレールと、上端が前記駆動歯車の歯車シャフトと固定接続され、且つ下へ前記内鍋内に延びている攪拌具とを備える。
【００１２】
好ましくは、前記歯車ガイドレールは内歯車であり、前記駆動歯車は前記内歯車と前記回動駆動装置の出力シャフトの間に設置され、或いは、前記歯車ガイドレールは前記回動駆動装置の出力シャフトに回動可能に接続されている外歯車である。
【００１３】
好ましくは、前記駆動歯車の歯車シャフトは前記攪拌具に取り外し可能に固定接続されている。
【００１４】
好ましくは、前記駆動歯車の歯車シャフトと前記攪拌具との互いに接続されている一端は、一方が位置決め部として、他方が嵌合筒として設置されて、前記位置決め部の外側面には位置決め溝が設置され、前記嵌合筒の内壁には取付溝が設置され、前記取付溝内には弾性的に伸縮できる弾性ロックが設けられ、前記弾性ロックと前記位置決め溝とが嵌合されることで、前記駆動歯車の歯車シャフトと前記攪拌具との軸方向における固定接続を実現する。
【００１５】
好ましくは、前記弾性ロックは圧縮バネと当接止め具を含み、前記圧縮バネの一端は前記取付溝の穴壁に当接し、前記圧縮バネの他端は前記当接止め具を前記位置決め溝に弾性的に当接させるように前記当接止め具と接続されている。
【００１６】
好ましくは、前記嵌合筒には前記嵌合筒を閉じる押し蓋がさらに設置され、前記押し蓋には前記位置決め部を通すための第一逃げ穴が設けられている。
【００１７】
好ましくは、前記攪拌具は攪拌シャフトとブレードを含み、前記攪拌シャフトの上端は前記駆動歯車の歯車シャフトに固定接続されて、前記ブレードは前記攪拌シャフトの底端に設置されている。
【００１８】
好ましくは、前記上蓋組立体内には取付チャンバーが画成され、前記回動駆動装置、スイングアーム、駆動歯車及び歯車ガイドレールは何れも前記取付チャンバーに取り付けられ、前記攪拌具の上端は前記駆動歯車の歯車シャフトと接続されるように、前記取付チャンバー内に延びている。
【００１９】
好ましくは、前記上蓋組立体は、内部に前記取付チャンバーが画成されている蓋板と、前記蓋板の内表面を閉じるとともに前記取付チャンバーに対応して設置されている飾り蓋と、を含み、前記飾り蓋と前記蓋板とは回動的に嵌合され、且つ前記飾り蓋の回動中心は前記回動駆動装置の軸線と重なり合っており、前記攪拌具が前記飾り蓋を回動させるように、前記飾り蓋には前記攪拌具を通すための第二逃げ穴が設置されている。
【００２０】
本願発明の技術案によれば、攪拌具を周方向回転の同時に自転させることにより、攪拌具の攪拌軌跡の食材に及ぶ範囲をより広くし、攪拌が不十分で、食材がたまりやすい等の問題を解決する。
【図面の簡単な説明】
【００２１】
本発明の実施例及び従来技術の技術案をより明確に説明するため、以下では、実施例或いは従来技術の説明に必要とされる添付図面を簡単に紹介する。下記説明における添付図面は本発明の一部の実施例に過ぎないことは明らかであって、当業者にとって、創造的な労働を行わないことを前提に、これらの添付図面が示す構造により他の添付図面を得ることができる。
【００２２】
【図１】本発明が提供する調理機の一実施例の断面模式図である。
【図２】図１におけるもう一つの断面模式図である。
【図３】図１における上蓋組立体と攪拌装置の斜視構造模式図である。
【図４】図１のＡの拡大模式図である。
【図５】図１における攪拌具の運動軌跡図である。
【００２３】
添付図面を参照して、実施例と組み合わせて本発明の目的の実現、機能特徴及び長所をさらに説明する。
【発明を実施するための形態】
【００２４】
以下では、本発明の実施例における添付図面と組み合わせ、本発明の実施例における技術案を明確且つ完全に説明する。説明される実施例は本発明の全ての実施例ではなく、本願の一部の実施例に過ぎないことは明らかである。本発明における実施例に基づいて、当業者が創造的な労働を行わないことを前提に得られた全ての他の実施例は、本発明の保護する範囲に属す。
【００２５】
もし本発明の実施例で方向性指示（例えば上、下、左、右、前、後．．．）に関わる場合、当該方＋向性指示はある特定の姿勢（添付図面に示す）における各部品間の相対的位置関係、運動状況等を説明するためだけに用いられ、もし当該特定の姿勢が変わる場合、当該方向性指示もそれ相当に変わることは説明すべきである。
【００２６】
また、本発明の実施例において「第一」、「第二」等の説明に関わる場合、当該「第一」、「第二」等の説明は、説明のために利用されるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもよい。また、各実施例の技術案はお互いに組み合わせることができる。ただし、当業者が実現できることを前提とする。技術案の組み合わせに矛盾が生じるか、実現できない場合には、このような技術案の組み合わせが存在しない、且つ本発明が主張する保護範囲にないと理解すべきである。
【００２７】
本願発明は攪拌装置を備える調理機を提案する。前記攪拌装置を有する調理機は、何れも本願発明が言う調理機に属する。図１から図５は本願発明が提案する調理機の一実施例である。
【００２８】
詳しくは、図１から図３を参照し、前記攪拌装置１００は回動駆動装置１、スイングアーム２、駆動歯車３、歯車ガイドレール４及び攪拌具５を備え、前記スイングアーム２は横方向に沿って設置されて且つ前記回動駆動装置１と接続されて駆動され、前記回動駆動装置１の駆動により、前記スイングアーム２は前記スイングアーム２の第一端周りに回動する回動ストロークを有し、前記駆動歯車３の歯車シャフトは上下方向に沿って延伸し、且つ前記スイングアーム２の第二端に回動可能に接続されて、前記スイングアーム２の第二端に伴ってスイングし、前記歯車ガイドレール４は前記駆動歯車３のスイング軌跡に沿って延伸して、且つ前記駆動歯車３と噛み合って、前記駆動歯車３のスイング過程において前記駆動歯車３を自転させ、前記攪拌具５の上端は前記駆動歯車３の歯車シャフトと固定接続されている。
【００２９】
本願発明の技術案により、攪拌具５を周方向回転と同時に自転させて、即ち、図５に示すような攪拌具運動軌跡を生じさせて、攪拌具５の攪拌軌跡の食材に及ぶ範囲をより広くすることで、攪拌が不十分で、食材がたまりやすい等の問題を解決する。
【００３０】
図１に示すように、本実施例では、前記歯車ガイドレール４は内歯車であり、前記駆動歯車３は前記内歯車と前記回動駆動装置１の出力シャフトの間に設置され、前記内歯車と前記駆動歯車３との間に作用する力は前記駆動歯車３の回動時に生じる求心力の一部とすることができ、これにより前記スイングアーム２が受ける応力を軽減させて、その使用寿命を長くする。
【００３１】
もう一つの実施例において、前記歯車ガイドレール４は前記回動駆動装置の出力シャフトに外嵌されている外歯車であり、前記外歯車は前記駆動歯車３と噛み合うことで、同様に前記駆動歯車３を運動過程において自転させる技術的効果を実現できる。
【００３２】
本実施例の具体的な実施過程において、前記回動駆動装置１の出力シャフトは前記スイングアーム２を前記回動駆動装置１の出力シャフト周りに周方向回転をさせる。前記駆動歯車３の歯車シャフトは前記スイングアーム２の第二端に回動可能に接続されているために、前記駆動歯車３の歯車シャフトも前記伝動ブロックと共に周方向回転を行って、前記駆動歯車３の歯車シャフトに固定接続されている前記攪拌具５を前記回動駆動装置１の出力シャフト周りに周方向回動をさせる。前記駆動歯車３は前記内歯車との噛み合いながら自身の中心周りに周方向回転をするため、前記攪拌具５は前記駆動歯車３と共に自身の中心周りに回動する。
【００３３】
攪拌具５の取り付け及び取り外しを便利にするために、前記駆動歯車３の歯車シャフトは前記攪拌具５に取り外し可能に固定接続されている。
【００３４】
具体的に、図４を詳しく参照されたい。本実施例では、前記駆動歯車３の歯車シャフトと前記攪拌具５との互いに接続されている一端は、一方が位置決め部３１として、他方が嵌合筒５１１として設置されて、前記位置決め部３１の外側面には位置決め溝３１１が設置され、前記嵌合筒５１１の内壁には取付溝５１２が設置され、前記取付溝５１２内には弾性的に伸縮できる弾性ロック５１３が設けられ、前記弾性ロック５１３と前記位置決め溝３１１とが嵌合されることで、前記駆動歯車３の歯車シャフトと前記攪拌具５との軸方向における相互の固定接続を実現する。他の実施例では、ボルトを用いて前記攪拌具５を前記駆動歯車３の歯車シャフト上に固定することでも、同様に取り外し可能な技術的効果を実現できる。
【００３５】
本実施例では、前記弾性ロック５１３は圧縮バネ５１３ａと当接止め具５１３ｂを含み、前記圧縮バネ５１３ａの一端は前記取付溝５１２の溝壁に当接し、前記圧縮バネ５１３ａの他端は前記当接止め具５１３ｂと前記当接止め具５１３ｂを前記位置決め溝３１１内に弾性的に当接させる。他の実施例において、前記弾性ロックは前記嵌合筒５１１の内壁上に凸出して設置されている弾性アームとすることも可能である。前記弾性アームは前記位置決め溝３１１内に当接されることで、前記駆動歯車３の歯車シャフトと前記攪拌具５との軸方向での固定を実現する。
【００３６】
また、前記嵌合筒５１１には前記嵌合筒５１１を閉じる押し蓋５１４がさらに設置され、前記押し蓋５１４には前記位置決め部３１を通すための第一逃げ穴が設けられて、押し蓋５１４を設置することで、弾性ロック５１３を前記嵌合筒５１１上に押さえるように設置して、弾性ロック５４３の軸方向での変位を制限する。
【００３７】
本実施例では、前記攪拌具５は攪拌シャフト５１とブレード５２を含み、前記攪拌シャフトの上端は前記駆動歯車３の歯車シャフトに固定接続されて、前記ブレード５２は前記攪拌シャフト５１の底端に設置されて、前記攪拌シャフト５１の自転攪拌範囲を拡大する。
【００３８】
前記調理機は内鍋７、上蓋組立体及び攪拌装置１００を含み、前記内鍋７の上端には開口が設けられて、前記上蓋組立体は前記内鍋７の開口を閉じるように設置されて、前記攪拌装置１００は上記のような攪拌装置１００で、前記攪拌装置１００は前記上蓋組立体に取り付けられて、且つ前記攪拌具５は下へ前記内鍋７内に延びている。
【００３９】
調理の過程において、攪拌により食材の汁が前記回動駆動装置１、スイングアーム２、駆動歯車３及び歯車ガイドレール４に付いてしまうのを防ぐために、図１に示すように、前記上蓋組立体内に取付チャンバーを画成して、前記回動駆動装置１、スイングアーム２、駆動歯車３及び歯車ガイドレール４は何れも前記取付チャンバー内に取り付けられて、前記攪拌具５の上端は前記取付チャンバー内に延びて、前記駆動歯車３の歯車シャフトと接続されている。
【００４０】
前記攪拌装置の取付と修理を便利にするために、前記上蓋組立体は蓋板８と飾り蓋６を含み、前記蓋板８の内部に前記取付チャンバーが画成されて、前記飾り蓋６は前記蓋板８の内表面を閉じるとともに前記取付チャンバーに対応して設置されている。前記飾り蓋６と前記蓋板８との間は回動的嵌合であり、且つ前記飾り蓋６の回動中心は前記回動駆動装置１の軸とは重なり合っている。前記攪拌具５が前記飾り蓋６を回動させるように、前記飾り蓋６には前記攪拌具５を通すための第二逃げ穴が設置されている。
【００４１】
以上に述べたのは本発明の好ましい実施例にすぎず、それによって本発明の保護範囲を制限するわけではない。本発明の明細書及び図面の内容を利用してなされた等価構造変換、或いは直接または間接的な他の関連する技術分野への応用は、同じ理由で本発明の特許の保護範囲に含まれる。
【符号の説明】
【００４２】
１００  攪拌装置
５１１  嵌合筒
１  回動駆動装置
５１２  取付溝
２  スイングアーム
５１３  弾性ロック
３  駆動歯車
５１３ａ  圧縮バネ
３１  位置決め部
５１３ｂ  当接止め具
３１１  位置決め溝
５１４  押し蓋
４  歯車ガイドレール
６  飾り蓋
５  攪拌具
７  内鍋
５１  攪拌シャフト
８  蓋板
５２  ブレード
【図１】
0006838198.tif 000002
【図２】
0006838198.tif 000003
【図３】
0006838198.tif 000004
【図４】
0006838198.tif 000005
【図５】
0006838198.tif 000006